(57)【要約】【課題】扉枠部の回動動作がガタツクことなくスムーズに行なえると共に、本体枠部と扉枠部との間にも前記ガタツキによる無用な隙間を生じさせないようにして不正防止上も優れた遊技機における蝶番構造を提供する。【解決手段】本体枠部３に上下位置の蝶番２ａ，２ｂを介して扉枠部４が回動自在に軸着される蝶番構造であって、少なくとも前記一方の蝶番２ｂは前記扉枠部４に設けられ支持ピン４１を有する第一蝶番部材と、前記本体枠部３に設けられ前記支持ピン４１が嵌入する嵌入凹部３３を凹設した軸受部材２９を有する第二蝶番部材とからなり、前記支持ピン４１の先端部外周にその先端に向けて漸次外径が小さくなる外テーパ面部４２を周設し、一方、前記嵌入凹部３３の奥部にその奥端に向けて漸次内径が小さくなる内テーパ面部３４を成形した構成からなる。【選択図】図３
2006223752.tif 000002
【特許請求の範囲】
【請求項１】
本体枠部の一側に上下位置の蝶番を介して扉枠部が回動自在に軸着される遊技機における蝶番構造であって、
少なくとも前記一方の蝶番は、前記扉枠部に設けられ支持ピンを有する第一蝶番部材と、前記本体枠部に設けられ前記支持ピンが嵌入する嵌入凹部を凹設した軸受部材を有する第二蝶番部材とを備え、前記支持ピンの先端部外周にその先端に向けて漸次外径が小さくなる外テーパ面部を周設し、一方、前記嵌入凹部の奥部にその奥端に向けて漸次内径が小さくなる内テーパ面部を成形し、前記外テーパ面部と内テーパ面部とが互いに円環状に接するようにして前記扉枠部が回動動作することを特徴とする遊技機における蝶番構造。
【請求項２】
本体枠部の一側に上下位置の蝶番を介して扉枠部が回動自在に軸着される遊技機における蝶番構造であって、
少なくとも前記一方の蝶番は、前記本体枠部に設けられ支持ピンを有する第一蝶番部材と、前記扉枠部に設けられ前記支持ピンが嵌入する嵌入凹部を凹設した軸受部材を有する第二蝶番部材とを備え、前記支持ピンの先端部外周にその先端に向けて漸次外径が小さくなる外テーパ面部を周設し、一方、前記嵌入凹部の奥部にその奥端に向けて漸次内径が小さくなる内テーパ面部を成形し、前記外テーパ面部と内テーパ面部とが互いに円環状に接するようにして前記扉枠部が回動動作することを特徴とする遊技機における蝶番構造。
【発明の詳細な説明】
【技術分野】
【０００１】
本発明は、本体枠部の一側に上下位置の蝶番を介して扉枠部が回動自在に軸着される遊技機における蝶番構造に関するものである。
【背景技術】
【０００２】
従来、遊技機の一種であるパチンコ遊技機は、本体枠部としての外枠の前面一側に遊技盤を配置固定した扉部材としての遊技盤取付枠が軸着されている。更に詳しく説明すると、該パチンコ遊技機は、外枠の前面一側の上下位置にそれぞれ保持孔を開設した保持金具と支持軸を突設した支持金具が固着される。一方、遊技盤取付枠の同じ側にも上下位置にそれぞれ支持軸を突設した支持金具と保持孔を開設した保持金具が固着されている。そして、下部の保持孔に下部の支持軸を抜き差し式に挿通すると共に上部の保持孔に上部の支持軸を同じく抜き差し式に挿通することにより、外枠に遊技盤取付枠を回動自在に軸着するようにしている（例えば、特許文献１参照。）。
【特許文献１】特開２００１−３１００４７号公報（第２頁、図１、図５）
【発明の開示】
【発明が解決しようとする課題】
【０００３】
しかしながら、前記特許文献１のパチンコ遊技機のように上下位置の各保持孔に同じく上下位置の各支持軸を抜き差し式に挿通して遊技盤取付枠を軸着する構成にあっては、保持孔に支持軸を挿入し易くして作業が容易に行なえるようにするべく、各支持軸の外径寸法よりも各保持孔の内径寸法が比較的大きく設定されている。このため、遊技盤取付枠を軸着した際に、上下の各支持軸と各保持孔との間に比較的大きな隙間ができ、この隙間が有るが故に遊技盤取付枠にガタツキが発生し、該遊技盤取付枠のスムーズな開閉動作が行い難くなるという課題があった。また、外枠と遊技盤取付枠との間にも無用な隙間が生ずることになるが、これは不正防止という観点から好ましいことではない。
【０００４】
そこで、本発明は上記課題を解決すべくなされたもので、扉枠部の回動動作がガタツクことなくスムーズに行なえると共に、本体枠部と扉枠部との間にも前記ガタツキによる無用な隙間が生じないようにして不正防止上も優れた遊技機における蝶番構造を提供することを目的とするものである。
【課題を解決するための手段】
【０００５】
かかる目的を達成するため本発明に係る遊技機における蝶番構造は、本体枠部の一側に上下位置の蝶番を介して扉枠部が回動自在に軸着される遊技機における蝶番構造であって、少なくとも前記一方の蝶番は、前記扉枠部に設けられ支持ピンを有する第一蝶番部材と、前記本体枠部に設けられ前記支持ピンが嵌入する嵌入凹部を凹設した軸受部材を有する第二蝶番部材とを備え、前記支持ピンの先端部外周にその先端に向けて漸次外径が小さくなる外テーパ面部を周設し、一方、前記嵌入凹部の奥部にその奥端に向けて漸次内径が小さくなる内テーパ面部を成形し、前記外テーパ面部と内テーパ面部とが互いに円環状に接するようにして前記扉枠部が回動動作するようにした構成からなる。
【０００６】
または、本発明に係る遊技機における蝶番構造は、本体枠部の一側に上下位置の蝶番を介して扉枠部が回動自在に軸着される遊技機における蝶番構造であって、少なくとも前記一方の蝶番は、前記本体枠部に設けられ支持ピンを有する第一蝶番部材と、前記扉枠部に設けられ前記支持ピンが嵌入する嵌入凹部を凹設した軸受部材を有する第二蝶番部材とを備え、前記支持ピンの先端部外周にその先端に向けて漸次外径が小さくなる外テーパ面部を周設し、一方、前記嵌入凹部の奥部にその奥端に向けて漸次内径が小さくなる内テーパ面部を成形し、前記外テーパ面部と内テーパ面部とが互いに円環状に接するようにして前記扉枠部が回動動作するようにした構成からなる。
【発明の効果】
【０００７】
本発明に係る遊技機における蝶番構造は、本体枠部と扉枠部との間に介装される上下一対の蝶番であって、少なくとも前記一方の蝶番の支持ピンの先端部外周にその先端に向けて漸次外径が小さくなる外テーパ面部を周設し、一方、前記嵌入凹部の奥部にその奥端に向けて漸次内径が小さくなる内テーパ面部を成形し、前記外テーパ面部と内テーパ面部とが互いに円環状に接するようにして前記扉枠部が回動動作する構成としている。よって、支持ピンの外テーパ面部と軸受部材の内テーパ面部とが常に接することになり、嵌入凹部に対して支持ピンが芯ずれを起こさなくなって扉枠部のガタツキが抑えられ、これにより扉枠部の開閉動作がスムーズに行なえるという効果がある。また、前記ガタツキが抑えられることから、本体枠部と扉枠部との間に無用な隙間が生ずることも無くなり、不正防止上も優れるという効果がある。
【発明を実施するための最良の形態】
【０００８】
以下、本発明に係る遊技機における蝶番構造の実施の形態を図面に基き説明する。本発明は、パチンコ遊技機、アレンジボール機、雀球機、スロットマシン等の遊技機に適用されるが、本発明ではこの内、パチンコ遊技機について説明する。図１は本発明が適用されるパチンコ遊技機の斜視図、図２は前面枠を開いた状態のパチンコ遊技機の斜視図である。
【０００９】
パチンコ遊技機Ｐは、縦長方形枠状に成形される外枠１と、該外枠１の前面に配置され一側の上下位置に設けられた抜き差し式の上蝶番２ａと下蝶番２ｂとによって開閉自在に取着される本体枠部としての遊技盤取付枠３と、同じく前記上・下蝶番２ａ，２ｂによって同軸上に軸着される扉枠部としての前面枠４とを備えている。遊技盤取付枠３に遊技盤５が配設される。遊技盤５の前面にガイドレール６により囲まれる遊技部５ａが成形され、該遊技部５ａには例えば可変表示装置７、始動入賞口８、入賞装置９といった盤面部品が装着されている。
【００１０】
また、前記前面枠４は、合成樹脂材からなり遊技盤取付枠３の前面全体を覆う大きさを有し、その前面を斬新なデザインとしている。前面枠４のほぼ中央に遊技盤５の遊技部５ａが臨む窓開口１０が開設され、該窓開口１０に二枚の透明板１１，１１が前後に位置して装着される。前面枠４の前面一側には打球発射部（図示せず。）へ供給するパチンコ球を貯留するための球皿１２が装着され、その上方に球皿１２と連通しパチンコ遊技機Ｐ，Ｐ間に介在される所謂台間サンド（図示せず。）からの貸し球を受け入れるための副球皿１３が装着される。
【００１１】
更に、前記前面枠４の前面他側には、打球の打球力を調節する操作ハンドル１４が設けられる。また、その上方に開設された貫通孔１５にシリンダー錠１６の鍵穴部１７が臨んでおり、常態では外枠１に遊技盤取付枠３が施錠されかつ遊技盤取付枠３に前面枠４が施錠されている。そして、鍵穴部１７に鍵（図示せず。）を差し込み、該鍵を一方向へ回動することにより前面枠４が開錠され、また、他方向へ回動することにより遊技盤取付枠３が開錠されるようになっている。
【００１２】
次に、図３、図４に基づき前記上・下蝶番２ａ，２ｂについて説明する。まず、外枠１の一側上下部に、上保持金具１８ａと下保持金具１８ｂが固着されている。これら上・下保持金具１８ａ，１８ｂはそれぞれ前方へ突出するほぼ水平な上支持片１９ａと下支持片１９ｂを有し、これら上・下支持片１９ａ，１９ｂに同一の鉛直線上に位置して所定内径の上保持孔２０ａと下保持孔２０ｂが開設されている。この内、上保持孔２０ａには、その前側に該上保持孔２０ａと連通しかつ該上保持孔２０ａの直径寸法よりも狭い溝幅の開先割溝２１が設けられている。
【００１３】
遊技盤取付枠３の同側の上下部に、上取付金具２２ａと第二蝶番部材としての下取付金具２２ｂが固着される。上取付金具２２ａの上水平板部２３ａの下面に前記上保持孔２０ａに嵌入する軸杆２４が突設される。該軸杆２４の外周面には両側に対向位置して段差部２５，２５が設けられ、該段差部２５，２５の下方に両側が平坦面２６ａ，２６ａとなる平坦板部２６が成形されている。平坦板部２６の厚み寸法は前記開先割溝２１の溝幅よりやや狭い寸法を有している。また、軸杆２４の下端面に係止孔２７が開設されている。
【００１４】
一方、前記下取付金具２２ｂに取付孔２８が開設され、該取付孔２８に軸受部材２９が嵌入固定される。該軸受部材２９は、下水平板部２３ｂの上面に当接するフランジ部３０を有し、その下方に前記取付孔２８から下方へ突出する軸部３１が一体に設けられ、また、フランジ部３０の上方に短柱部３２が一体に設けられる。短柱部３２の上面には、後記する支持ピン４１が嵌入する嵌入凹部３３が凹設されている。そして、該嵌入凹部３３の奥部にその奥端に向けて漸次内径が小さくなる内テーパ面部３４が成形されている。この嵌入凹部３３の中心軸線Ｇと前記軸杆２４の係止孔２７の中心軸線Ｇは同一鉛直線上にある。よって、遊技盤取付枠３および前面枠４は同一軸心でもって開閉動作が可能となる。
【００１５】
前面枠４の同側の上部に係止部材３５が内装される。該係止部材３５は上下に摺動可能な可動体３６を備え、該可動体３６は下方の圧縮スプリング３７により常に上方へ付勢されている。また、可動体３６はその上面に係止ピン３８が突設され、外周面の所定位置に鍔４３が周設される。この鍔４３は遊技盤取付枠３の上面に開設された通孔３９よりも大きい外径を有する。そして、圧縮スプリング３７の付勢によって該鍔４３が通孔３９の外周縁にその下面から当接したとき、前記可動体３６上面の係止ピン３８が前記通孔３９から上方へ突出するようになっている。一方、前面枠４の同側の下部にほぼ水平な第一蝶番部材としての突片４０が前方ヘ突設され、該突片４０の下面に支持ピン４１が垂設されている。支持ピン４１の先端部外周にその先端に向けて漸次外径が小さくなる外テーパ面部４２が周設される。
【００１６】
前記嵌入凹部３３の内テーパ面部３４の傾斜角度（頭頂角）αと支持ピン４１の外テーパ面部４２の傾斜角度（頭頂角）αは同じに設定されており、嵌入凹部３３の中心軸線Ｇと支持ピン４１の中心軸線Ｇが合致する。嵌入凹部３３内に支持ピン４１が嵌入した状態では、外テーパ面部４２の面全体が内テーパ面部３４の面に接するようになっている。よって、嵌入凹部３３内で支持ピン４１がその軸線方向に対して直交する方向へはずれない、すなわち芯ずれを起こさない。ここで、外テーパ面部４２と内テーパ面部３４とが互いに接するとは、外テーパ面部４２の面が内テーパ面部３４の面と接する場合以外に、外テーパ面部４２の上端縁のみが内テーパ面部３４の面に接する場合（外テーパ面部４２の頭頂角が内テーパ面部３４の頭頂角より大きい場合）、または外テーパ面部４２の下端縁のみが内テーパ面部３４の面に接する場合（外テーパ面部４２の頭頂角が内テーパ面部３４の頭頂角より小さい場合）も含むものである。また、互いに円環状に接っするとは、外テーパ面部４２と内テーパ面部３４とが連続的に円環状に接する場合もあれば、いずれか一方のテーパ面部に一定間隔おきに切欠部を設けて互いに断続的に円環状に接する場合も含むものである。この場合、開閉時の摩擦抵抗を減少できるので、摺動性が向上される。
【００１７】
そして、外枠１の前面に遊技盤取付枠３を配置すると共に下部の軸部３１を下保持金具１８ｂの下保持孔２０ｂにその上側から嵌入する。また、遊技盤取付枠３の回動位置を調整して、上部の軸杆２４の平坦板部２６を開先割溝２１内に介入しつつ軸杆２４を上保持孔２０ａ内に嵌合させる。この際、両段差部２５，２５が開先割溝２１の両側縁に載って誘導されるので、軸杆２４が嵌合し易い。更に、遊技盤取付枠３の前面に前面枠４を配置し、下部の支持ピン４１を軸受部材２９の嵌入凹部３３に上側から嵌入する。続いて、可動体３６を圧縮スプリング３７の付勢に抗して下げ、係止ピン３８を前面枠４の上面から下方へ没入させておき、この状態で係止ピン３８を軸杆２４の下方に位置させる。続き、係止ピン３８と係止孔２７とを合致させて可動体３６を離す。これにより、圧縮スプリング３７の付勢によって係止ピン３８が係止孔２７に嵌入して係止する。
【００１８】
ここで、前記上保持金具１８ａと上取付金具２２ａと係止部材３５とにより上蝶番２ａが構成され、下保持金具１８ｂと下取付金具２２ｂと突片４０の支持ピン４１とにより下蝶番２ｂが構成される。このように上下位置の上・下蝶番２ａ，２ｂを介して外枠１に遊技盤取付枠３が回動自在に軸着され、また、遊技盤取付枠３に前面枠４が同じく回動自在に軸着されることになる。
【００１９】
本発明に係るパチンコ遊技機Ｐは上記構成からなり、シリンダー錠１６の鍵穴部１７に鍵を挿入して一方向へ回動させることにより前面枠４が開錠され、該前面枠４が前記上・下蝶番２ａ，２ｂを中心として自在に回動する。また、鍵を他方向へ回動させることにより遊技盤取付枠３が開錠され、同様に該遊技盤取付枠３が自在に回動することになる。
【００２０】
そこで、本発明は外テーパ面部４２と内テーパ面部３４とが互いに円環状に接して前面枠４が回動動作するので、支持ピン４１の外テーパ面部４２と軸受部材２９の内テーパ面部３４とは常に接することになる。これにより、嵌入凹部３３に対して支持ピン４１が芯ずれを起こさなくなり前面枠４のガタツキが抑えられる。よって、前面枠４の開閉動作がスムーズに行なえる。また、前面枠４のガタツキが無くなることから、遊技盤取付枠３と前面枠４との間に無用な隙間が生ずることもなくなり不正防止上も優れる。
【００２１】
更に、嵌入凹部３３に対して支持ピン４１が芯ずれを起こさないことから、図５に示すように支持ピン４１の外径寸法に対し嵌入凹部３３の内径寸法を大きく設定し、隙間Ｓを設けるようにすることが可能となる。これによって、嵌入凹部３３への支持ピン４１の嵌入動作が容易に行なえることになる。
【００２２】
本実施の形態では、下蝶番２ｂについてのみ本発明を適用した場合を説明したが、他の実施の形態として図６に示すように上蝶番２ａについてのみ本発明を適用しても良い。なお、本実施の形態と同一部位は同一番号を付して詳しい説明は省略する。すなわち、遊技盤取付枠３の上水平板部２３ａに下面が開放した嵌入凹部３３を有する第二蝶番部材としての軸受部材２９ａが設けられる。そして、この嵌入凹部３３の奥部にその奥端まで漸次内径が小さくなる内テーパ面部３４が成形される。
【００２３】
また、前面枠４の第一蝶番部材としての係止部材３５ａに支持ピン４１ａが備えられる。この支持ピン４１ａも、先端部外周にその先端に向けて漸次外形が小さくなる外テーパ面部４２が周設され、下方の圧縮スプリング３７により常に上方へ付勢される。そして、前面枠４の上面に開設された通孔３９から支持ピン４１ａの先端部が上方へ突出しており、外周面の所定位置に前記通孔３９よりも下方に位置して該通孔３９よりも大径の鍔４３が周設されている。ところで、前面枠４が遊技盤取付枠３から外されている状態においては、通孔３９の下部外周縁に鍔４３を当接させることで支持ピン４１ａの上動動作を規制し、前面枠４を遊技盤取付枠３へ取り付けた状態においては、外テーパ面部４２と内テーパ面部３４を優先させて確実に当接させる必要があることから、通孔３９の下部外周縁に鍔４３が当接しないようにしている。そこで、この条件を満たすように前記鍔４３の前記所定位置が設定される。また、前記嵌入凹部３３の内テーパ面部３４の傾斜角度（頭頂角）αと支持ピン４１ａの外テーパ面部４２の傾斜角度（頭頂角）αは同じに設定されており、嵌入凹部３３内に支持ピン４１ａが嵌入した状態では外テーパ面部４２の面全体が内テーパ面部３４の面に接するようになっている。
【００２４】
一方、遊技盤取付枠３の下部水平板部２３ｂには前記下保持金具１８ｂの下保持孔２０ｂとほぼ同じ大きさの透孔４４が開設され、前面枠４の突片４０の下面に挿通軸４５が垂設されている。
【００２５】
この実施の形態にあっては、外枠１の前面に遊技盤取付枠３を配置し、上保持孔２０ａに軸受部材２９ａを上側から挿通し、また、下保持孔２０ｂと下水平板部２３ｂの透孔４４を合致させておく。この場合、上保持孔２０ａには開先割溝２１が設けられていない。この状態で、遊技盤取付枠３の前面に前面枠４を配置し、前記下保持孔２０ｂと透孔４４に前面枠４の挿通軸４５を挿通する。続き、支持ピン４１ａを圧縮スプリング３７の弾性に抗して下方へ押し下げ、支持ピン４１ａが嵌入凹部３３と合致した位置で支持ピン４１ａを開放して、該支持ピン４１ａを嵌入凹部３３内に嵌入させる。なお、支持ピン４１ａは圧縮スプリング３７により上方へ付勢されるので、外テーパ面部４２と内テーパ面部３４とは互いに圧接する。
【００２６】
この他の実施の形態においても、支持ピン４１ａの外テーパ面部４２と軸受部材２９ａの内テーパ面部３４とが互いに円環状に接して前面枠４が回動動作する。これにより、嵌入凹部３３に対して支持ピン４１ａが芯ずれを起こさなくなり前面枠４のガタツキが抑えられる。よって、前面枠４の開閉動作がスムーズに行なえる。また、前面枠４のガタツキが無くなることから、遊技盤取付枠３と前面枠４との間に無用な隙間が生ずることもなくなり不正防止上も優れる。
【００２７】
更に、嵌入凹部３３に対して支持ピン４１ａが芯ずれを起こさないことから、図５に示し説明した事項と同様に支持ピン４１ａの外径寸法に対し嵌入凹部３３の内径寸法を大きく設定し、隙間Ｓを設けるようにすることが可能となる。これによって、嵌入凹部３３への支持ピン４１ａの嵌入動作が容易に行なえることになる。
【００２８】
このように、本発明を下蝶番２ｂについてのみまたは上蝶番２ａについてのみ適用しても良く、更には、図示は省略するが、上・下蝶番２ａ，２ｂ同時に本発明を適用するようにしても良い。また、扉枠部である前面枠４に支持ピン４１，４１ａを有する第一蝶番部材を設け、本体枠部である遊技盤取付枠３に嵌入凹部３３を凹設した軸受部材２９，２９ａを有する第二蝶番部材を設けるようにしたが、扉枠部である前面枠４に嵌入凹部３３を凹設した軸受部材２９，２９ａを有する第二蝶番部材を設け、本体枠部である遊技盤取付枠３に支持ピン４１，４１ａを有する第一蝶番部材を設けるようにしても良い。
【００２９】
また、本体枠部として遊技盤取付枠３を示し扉枠部として前面枠４を示したが、これらに限られるものではない。例えば、本体枠部として外枠１を選択し扉枠部として遊技盤取付枠３を選択しても良い。更に、図示は省略するが、遊技盤取付枠の前面に遊技盤の前面を覆う透明板保持枠や球皿が装着された前面板を軸着するようにしたパチンコ遊技機にあっては、本体枠部として遊技盤取付枠を選択し扉枠部として透明板保持枠または前面板を選択するようにしても良い。更に、他の遊技機についても同様であって本体枠部に対し扉枠部がその一側で回動自在に軸着される構成であれば本発明が適用できる。
【図面の簡単な説明】
【００３０】
【図１】本発明が適用されるパチンコ遊技機の斜視図。
【図２】前面枠を開いた状態のパチンコ遊技機の斜視図。
【図３】上・下蝶番部位の分解斜視図。
【図４】上・下蝶番部位の組立状態の断面図。
【図５】他の実施の形態に係る下蝶番部位の断面図。
【図６】他の実施の形態に係る上・下蝶番部位の組立状態の断面図。
【符号の説明】
【００３１】
２ａ        上蝶番
２ｂ        下蝶番
３          本体枠部（遊技盤取付枠）
４          扉枠部（前面枠）
２９        軸受部材
３３        嵌入凹部
３４        内テーパ面部
４１        支持ピン
４２        外テーパ面部
Ｐ          遊技機（パチンコ遊技機）
【図１】
2006223752.tif 000003
【図２】
2006223752.tif 000004
【図３】
2006223752.tif 000005
【図４】
2006223752.tif 000006
【図５】
2006223752.tif 000007
【図６】
2006223752.tif 000008